(57)【要約】【課題】つまみ棒等の取り付け作業を簡単にでき、落とし棒を上昇位置から下降させる操作を簡単に行なうことができる扉の落とし棒装置を提供する。【解決手段】扉の案内部材２５内に上下方向に摺動自在に落とし棒２６を設け、落とし棒２６を径方向に貫通する操作用のつまみ棒２７を設け、つまみ棒２７の操作部３７と反対側の端部に、少なくとも先端側が略球面状に形成され且つその最大径部３８ａがつまみ棒２７の軸部３９よりも大径に形成された頭部３８を設け、つまみ棒２７の頭部３８と落とし棒２６の外面との間に、つまみ棒２７を頭部３８側に付勢するコイルバネ２８を套嵌し、落とし棒２６を上昇位置に上昇させたときに、案内部材２５に形成された最大径部３８ａよりも小径の係合孔３０の内側の端部に、頭部３８が最大径部３８ａよりも先端側で係合するようにしたものである。【選択図】  図４
2004176405.tif 000002
【特許請求の範囲】
【請求項１】
扉の案内部材（２５）（４１）内に上下方向に摺動自在に落とし棒（２６）を設け、該落とし棒（２６）を径方向に貫通し且つ前記案内部材（２５）（４１）の外側に突出する操作用のつまみ棒（２７）をその貫通方向に移動自在に設け、該つまみ棒（２７）の操作部（３７）と反対側の端部に、少なくとも先端側が略球面状に形成され且つその最大径部（３８ａ）が該つまみ棒（２７）の軸部（３９）よりも大径に形成された頭部（３８）を設け、前記つまみ棒（２７）の前記頭部（３８）と前記落とし棒（２６）の外面との間に、該つまみ棒（２７）を前記頭部（３８）側に付勢するコイルバネ（２８）を套嵌し、前記落とし棒（２６）を上昇位置に上昇させたときに、前記案内部材（２５）（４１）に形成された前記最大径部（３８ａ）よりも小径の係合孔（３０）の内側の端部に、前記頭部（３８）が前記最大径部（３８ａ）よりも先端側で係脱自在に係合するようにしたことを特徴とする扉の落とし棒装置
【発明の詳細な説明】
【０００１】
【発明の属する技術分野】
本発明は、伸縮門扉、その他の各種扉に使用される扉の落とし棒装置に関するものである。
【０００２】
【従来の技術】
伸縮門扉、折り畳み式扉等の各種扉においては、その扉体を閉状態にロックするための落とし棒装置が広く利用されている。
【０００３】
従来の落とし棒装置には、例えば、扉の案内部材内に上下方向に摺動自在に落とし棒を設け、この落とし棒を径方向に貫通して案内部材の外側に突出する操作用のつまみ棒を貫通方向に移動自在に設け、案内部材に、落とし棒を上昇位置に上昇させたときにつまみ棒が係脱自在に係合する係合孔を形成し、つまみ棒を係合方向に付勢するコイルバネを設けたものがある。（例えば特許文献１）
【０００４】
【特許文献１】
特開平１０−１３１５８５号公報
【０００５】
【発明が解決しようとする課題】
この従来の落とし棒装置は、つまみ棒を係合方向に付勢するためにつまみ棒に套嵌するコイルバネと、その付勢力をつまみ棒に伝えるためにつまみ棒に固定するバネ受けとを落とし棒の内部側に設けているので、つまみ棒、コイルバネ、バネ受け等の取り付け作業が煩雑であり手間を要する。
【０００６】
また、つまみ棒が係合孔に係合しているときには、バネ受けと落とし棒の内面との接触によりつまみ棒の係合方向への移動が規制されるようになっているので、バネ受けの固定位置が不正確な場合には、係合が不十分であったり、又はつまみ棒が係合方向に必要以上に移動してしまうことがあり、バネ受けの取り付け作業が煩雑な上にその正確さも要求される。
【０００７】
更に、つまみ棒がその円柱状部分で係合孔に係合するようになっているので、落とし棒を確実に上昇位置に保持できる利点はあるものの、落とし棒を下降させる際に、つまみ棒をその係合方向と反対側に引き出して係合を解除する操作と、落とし棒を下降させる操作との異なる方向への２段階の操作が必要であり、それらの操作を円滑に連続して行ない難い。
【０００８】
また、バネ受けの固定が不正確でつまみ棒が必要以上に係合方向に移動してしまう場合には、係合の解除に際してつまみ棒をその分だけ大きく移動させる必要が生じるため、落とし棒を下降させる操作が煩わしくなる。
【０００９】
本発明は、このような従来の問題点に鑑み、つまみ棒等の取り付け作業を簡単にでき、しかも、落とし棒を上昇位置から下降させる操作を簡単に行なうことができる扉の落とし棒装置を提供することを目的とする。
【００１０】
【課題を解決するための手段】
本発明は、扉の案内部材２５，４１内に上下方向に摺動自在に落とし棒２６を設け、該落とし棒２６を径方向に貫通し且つ前記案内部材２５，４１の外側に突出する操作用のつまみ棒２７をその貫通方向に移動自在に設け、該つまみ棒２７の操作部３７と反対側の端部に、少なくとも先端側が略球面状に形成され且つその最大径部３８ａが該つまみ棒２７の軸部３９よりも大径に形成された頭部３８を設け、前記つまみ棒２７の前記頭部３８と前記落とし棒２６の外面との間に、該つまみ棒２７を前記頭部３８側に付勢するコイルバネ２８を套嵌し、前記落とし棒２６を上昇位置に上昇させたときに、前記案内部材２５，４１に形成された前記最大径部３８ａよりも小径の係合孔３０の内側の端部に、前記頭部３８が前記最大径部３８ａよりも先端側で係脱自在に係合するようにしたものである。
【００１１】
【発明の実施の形態】
以下、本発明の実施形態を図面に基づいて詳述する。本実施形態は、本発明を伸縮門扉に採用したものである。
【００１２】
この伸縮門扉は、図１に示すように、出入り口１の左右両側で地面２に立設された吊り元側支柱３及び戸当たり側支柱４と、この両支柱３，４間に左右方向に伸縮自在に配置され且つ一端側が吊り元側支柱３に取り付けられた扉体５とを備えている。
【００１３】
扉体５は、左右方向に伸縮自在に構成されたパンタグラフ機構６と、このパンタグラフ機構６の一端側に上下方向に配置された吊り元側端枠７と、パンタグラフ機構６の他端側に上下方向に配置された戸当たり側端枠８と、両端枠７，８間に上下方向に配置された伸縮方向に複数個の縦枠材９とを備えている。
【００１４】
吊り元側端枠７は扉体５を吊り元側支柱３の背後等に旋回収容できるように、吊り元側支柱３に対して縦方向のヒンジ１０廻りに回動自在に装着されている。戸当たり側端枠８は、把手１１、施錠手段１２等を備え、戸当たり側支柱４に当接した閉状態で施錠手段１２により施錠可能である。
【００１５】
吊り元側端枠７、戸当たり側端枠８及び縦枠材９は、図２及び図５に示すように、パンタグラフ機構６の前後両側に上下方向に配置された前後の縦桟部１３，１４と、この縦桟部１３，１４の上側を前後に連結する連結部１５，１６とを備えた側面視逆Ｕ字状であって、その縦桟部１３，１４の下端部が前後方向の連結部材４４，４５により連結され、これらの内部にパンタグラフ機構６が配置されている。
【００１６】
パンタグラフ機構６は、多数本の右上がり傾斜リンク１７と左上がり傾斜リンク１８とを交差状に配置したものであって、端枠７，８又は縦枠材９との交差部の１カ所が固定ピン軸により端枠７，８又は縦枠材９に軸着され、他の交差部が摺動ピン軸を介して端枠７，８又は縦枠材９に上下摺動自在に案内されている。また、縦枠材９の間及び縦枠材９と端枠７，８との間の両傾斜リンク１７，１８の交差部は、適宜遊動ピン軸により軸着されている。
【００１７】
戸当たり側端枠８には、図１及び図２に示すように、キャスター車輪１９が設けられると共に、戸当たり側落とし棒装置２０が設けられている。また中間側でも、キャスター車輪２１と中間落とし棒装置２２とが適宜箇所の縦枠材９に取り付けられている。実施形態では、異なる縦枠材９、例えば中央近傍の隣り合う縦枠材９の吊り元側にキャスター車輪２１が、戸当たり側に中間落とし棒装置２２が夫々設けられている。
【００１８】
キャスター車輪１９，２１は、例えば戸当たり側端枠７及び縦枠材９の前後両側にブラケット２３，２４を介して取り付けられている。
【００１９】
戸当たり側落とし棒装置２０は、図２〜図４に示すように、戸当たり側端枠８に取り付けられた上下方向の案内部材２５と、この案内部材２５内に上下方向に摺動自在に設けられた落とし棒２６と、この落とし棒２６を径方向に貫通し且つ案内部材２５の外側に突出する操作用のつまみ棒２７と、このつまみ棒２７をその操作部３７と反対側に付勢するコイルバネ２８とを備え、つまみ棒２７の先端の頭部３８と案内部材２５の係合孔３０との係合により落とし棒２６を上昇位置に係止することができ、また地面２に形成された落とし穴３１に下降位置の落とし棒２６を落とし込んで扉体５を閉状態にロックできるようになっている。
【００２０】
戸当たり側端枠８には、図２に示すように、例えば上部、中間部及び下部の３カ所に、前後の縦桟部１３を連結する例えば水平方向の連結材３２が設けられ、中間部の連結材３２と下部の連結材３２との間に跨って上下方向の案内部材２５が取り付けられている。
【００２１】
案内部材２５は、図３及び図４に示すように、戸当たり側に開口３３ａが形成された断面略コ字状の案内部３３と、この案内部３３と一体に形成され且つその前後両側に突出する固定部３４とを備え、この固定部３４を介して上下両側の連結材３２にねじ等により固定されている。なお、案内部材２５及び連結材３２は、例えばアルミニウム又はその合金等の押し出し型材等からなっている。また、中間部の連結材３２は、少なくとも案内部３３を上側から覆う程度の幅を有し、案内部３３内への上方からの雨水、ゴミ等の進入を防止するようになっている。
【００２２】
案内部３３は、相対する前後の壁部間の寸法が落とし棒２６の直径よりも小さく、その両壁部の内側に例えば円弧状に凹む摺動溝３５が相対して上下方向の略全長にわたって形成され、この摺動溝３５により落とし棒２６を上下方向に摺動自在に支持するようになっている。なお、摺動溝３５は、例えば案内部材２５の固定部３４が形成された左右位置又はその近傍の肉厚部分に対応して、案内部３３の開口３３ａ側に偏って形成されている。
【００２３】
落とし棒２６は、例えば円筒棒状のパイプ材等からなり、案内部材２５の案内部３３内にその摺動溝３５によりその一部が接触された状態で上下方向に摺動自在に支持され、前後方向及び左右方向への移動が規制されている。また、落とし棒２６の上端及び下端には、合成樹脂製等のキャップ３６が設けられている。なお、下部の連結材３２及び連結部材４４には、上下動する落とし棒２６が貫通できるように貫通孔が形成されている（図示略）。また下部の連結材３２に水抜き、ゴミ抜き等用の貫通孔を適宜設けても良い。
【００２４】
つまみ棒２７は、落とし棒２６の昇降操作をするためのもので、落とし棒２６の上端側に左右方向に移動自在に貫通され、戸当たり側の端部が案内部材２５の案内部３３から外側に突出されて、その突出部分が操作部３７となっている。なお、戸当たり側支柱４は、例えば側面視逆Ｕ字状に構成される等により、少なくとも操作部３７の上下動の範囲に対応して左右方向に貫通する操作用の開口が形成されている（図示略）。
【００２５】
つまみ棒２７は、落とし棒２６に貫通された中間の軸部３９を介して、その両側に操作部３７と頭部３８とを備えている。頭部３８は、その最大径部３８ａが軸部３９よりも大径に構成され、最大径部３８ａよりも先端側が略球面状に形成されると共に、基部側につまみ棒２７の軸心方向に略直交する略平面状のバネ受け部４０が夫々形成されており、例えば、球をその略中心を通る平面で切った略半球形状又はそれよりも浅く平面で切った形状になっている。なお、つまみ棒２７は、例えば軸部３９及び頭部３８が一体に成型された金属製等のねじ、ピン等と、このねじ、ピン等に固定された合成樹脂製等の操作部３７とから構成されている。
【００２６】
コイルバネ２８は、頭部３８の基部側のバネ受け部４０と落とし棒２６の外面との間でつまみ棒２７の軸部３９に套嵌されて、つまみ棒２７を係合方向（頭部３８側）に付勢するようになっている。なお、バネ受け部４０をつまみ棒２７の軸心方向に直交する平面状に形成しているが、コイルバネ２８の付勢力をつまみ棒２７に伝えることが可能であれば、例えば、その軸心方向に直交しない平面状、頭部３８の先端側から連続する球面状等に形成しても良い。
【００２７】
係合孔３０は、頭部３８の最大径部３８ａよりも小径の丸孔で、案内部材２５の案内部３３の開口３３ａと反対側の壁部に形成されており、その内側の端部に、頭部３８がその最大径部３８ａよりも先端側で係合するようになっている。従って、つまみ棒２７は、案内部材２５の係合孔３０の径に頭部３８の径が対応する位置まで係合方向に移動されて、頭部３８が係合孔３０の内側の端部に略全周で接触して係合し、その係合により係合方向への移動が規制されるようになっており、例えば図４（ａ）に示すように、係合状態のときにつまみ棒２７の操作部３７と案内部材２５とが当たらないようになっている。なお、係合孔３０は、案内部材２５を貫通する貫通孔により構成しているが、案内部材２５の肉厚によっては凹み孔により構成しても良い。
【００２８】
頭部３８の最大径部３８ａの径寸法は、案内部材２５の案内部３３の相対する前後の壁部間の寸法との差が小さいことが望ましく、その差が小さいほど、落とし棒２６の軸心廻りの回転によるガタツキを少なくすることができる。また、実施形態では、図３（ｂ）に示すように、つまみ棒２７の頭部３８の最大径部３８ａから案内部材２５の相対する前後の壁部までの距離ａが、案内部材２５からつまみ棒２７の操作部３７までの距離ｂよりも小さく、落とし棒２６の中心からつまみ棒２７の頭部３８の最大径部３８ａまでの距離ｃと、落とし棒２６の中心からつまみ棒２７の操作部３７の案内部材２５に近接する部分までの距離ｄとが略同じになっている。
【００２９】
中間落とし棒装置２２は、中間部の適当な縦枠材９に設けられており、戸当たり側落とし棒装置２０と略同様に構成されている。
【００３０】
中間落とし棒装置２２の案内部材４１は、図１、図５〜図７に示すように、縦枠材９の後ろ側（家側）の縦桟部１４の下端部に後ろ側から取り付けられている。この案内部材４１は、例えば後ろ側に開口４１ａが形成された断面コ字状で、戸当たり側落とし棒装置２０の案内部材２５の案内部３３と略同様に構成されている。また案内部材４１は、その開口４１ａと反対側の外面が縦枠材９の縦桟部１４に対応して円弧状に凹まされており、その円弧状の外面が縦桟部１４に当接されて例えば案内部材４１の内側からねじ等の固定具４２により縦枠材９に固定されている。なお、縦枠材９の下端部の連結部材４５には、その上側へと突出する固定板４６が後ろ側から固定されており、この固定板４６に例えば上下２個の固定具４２により案内部材４１が縦桟部１４と共に固定されている。
【００３１】
固定具４２は、上下動するつまみ棒２７と干渉しないように、落とし棒２６が落とし穴３１に落とし込まれたときのつまみ棒２７の位置よりも下側に設けられている。なお、落とし棒２６が上昇位置にあるときのつまみ棒２７の位置よりも上側にも固定具４２を設けて良い。また、案内部材２５は、溶接、その他の公知手段により縦枠材９に固定しても良い。案内部材４１の上端部には、合成樹脂製等のキャップ４３が設けられており、案内部材４１内への上方からの雨水、ゴミ等の進入を防止するようになっている。
【００３２】
なお、中間落とし棒装置２２の落とし棒２６、つまみ棒２７、コイルバネ２８等は、戸当たり側落とし棒装置２０と同様に構成されているため、繰り返しの説明は省略する。
【００３３】
次に、上記構成の落とし棒装置２０，２２の操作について説明する。出入り口１を閉鎖した状態では、扉体５を最大伸長状態まで伸ばし、戸当たり側端枠８を戸当たり側支柱４に当接させて施錠する一方、必要に応じて各落とし棒装置２０，２２の各落とし棒２６を各落とし穴３１に落とし込み、この落とし棒２６により扉体５をロックする。なお、扉体５を途中まで縮めた状態でロックするために、その状態に対応する位置に別途落とし穴３１を設けても良く、人の出入り等に際して便利である。
【００３４】
落とし棒装置２０，２２によるロックを解除する場合には、つまみ棒２７の操作部３７を把持して落とし棒２６を上方へと引き上げる。このとき、案内部材２５，４１の摺動溝３５が、前後方向及び左右方向への移動を規制しつつ落とし棒２６を上下方向に円滑に案内する。また、つまみ棒２７がコイルバネ２８によって係合方向に付勢されているので、図４（ｂ）に示すように、頭部３８の先端が案内部材２５，４１の内面に当接した状態で引き上げられていく。
【００３５】
落とし棒２６が上昇位置まで上昇してつまみ棒２７が係合孔３０に対応すると、図４（ａ）に示すように、コイルバネ２８の付勢力によってつまみ棒２７が係合方向に移動し、頭部３８の最大径部３８ａよりも先端側が案内部材２５，４１の係合孔３０の内側の端部に係合し、落とし棒２６を上昇位置に係止する。従って、つまみ棒２７を持って落とし棒２６を引き上げるだけの操作で簡単に落とし棒２６を上昇位置に係止できる。また、つまみ棒２７は、その係合により係合方向への移動が規制されるので、必要最小限でしか係合方向に移動しない。
【００３６】
次に、落とし棒２６を落とし穴３１に落とし込んで扉体５をロックする場合には、つまみ棒２７の操作部３７を把持してそのまま下方に、又は若干手前に引きながら下方に操作して、落とし棒２６を落とし穴３１に落とし込むだけで良い。即ち、先端側が略球面状に形成された頭部３８により、つまみ棒２７に下向きに加えた力も係合を解除する方向に作用するので、簡単に係合が解除され、落とし棒２６が上下動可能な状態となる。
【００３７】
このように、本実施形態では、つまみ棒２７の操作部３７と反対側の端部に、少なくとも先端側が略球面状に形成され且つ最大径部３８ａが軸部３９よりも大径に形成された頭部３８を設け、落とし棒２６を上昇位置に上昇させたときに、案内部材２５，４１に形成された最大径部３８ａよりも小径の係合孔３０の内側の端部に、頭部３８が最大径部３８ａよりも先端側で係脱自在に係合するようにしているので、その係合を解除する際に、下向きの力を係合を解除する方向にも作用させることができ、係合の解除の操作と落とし棒２６を下降させる操作とを連続して円滑に行なうことができる。更に、つまみ棒２７が、非係合状態と係合状態との間で必要以上に係合方向に移動することがなく、係合を解除する際にもその解除する方向に最小限だけ移動すればでよいので、係合を簡単に解除することができる。また、係合状態のときにつまみ棒２７に上下方向の無理な力が加わっても、その係合が容易に外れ、つまみ棒２７等が破損することもない。
【００３８】
つまみ棒２７の頭部３８と落とし棒２６の外面との間に、つまみ棒２７を係合方向に付勢するコイルバネ２８を套嵌しているので、コイルバネ２８を落とし棒２６の内部に設ける場合に比べて、つまみ棒２７、コイルバネ２８等の取り付け作業を簡単にできる。なお、落とし棒２６を案内するための摺動溝３５を、案内部材２５，４１の開口３３ａ，４１ａ側に偏って設けているので、落とし棒２６と案内部材２５，４１の開口３３ａ，４１ａと反対側の壁部との間に、つまみ棒２６の頭部３８側及びコイルバネ２８のための広い収容空間を形成することができる。
【００３９】
また、コイルバネ２８を案内部材２５，４１内に設けているので、外側に露出することもない。更に、落とし棒２６の内部側にコイルバネ２８を設ける場合に比べて、落とし棒２６を細くすることができる。その際、内部にコイルバネ２８を設けるための空間を確保するために落とし棒２６を中空状に形成する必要がないので、例えば中実状の落とし棒２６を使用すれば、細くても十分な強度を確保することができる。
【００４０】
また、つまみ棒２７の軸部３９と頭部３８とを一体に成型し、この頭部３８の基部側をコイルバネ２８の付勢力を受けるバネ受け部４０としているので、部品点数を少なくでき、また組み立て等も容易に行なうことができる。
【００４１】
つまみ棒２７の頭部３８の最大径部３８ａから案内部材２５，４１の相対する壁部までの距離ａを、案内部材２５，４１からつまみ棒２７の操作部３７までの距離ｂよりも小さくし、落とし棒２６の中心からつまみ棒２７の頭部３８の最大径部３８ａまでの距離ｃと、落とし棒２６の中心からつまみ棒２７の操作部３７の案内部材２５，４１に近接する部分までの距離ｄとを略同じにしているので、落とし棒２６の軸心廻りの回転を頭部３８により規制することができる。つまり、つまみ棒２７の頭部３８から案内部材２５，４１の相対する壁部までの距離ａを小さくすることにより落とし棒２６の回転によるガタツキを小さくでき、また、つまみ棒２７の操作部３７側が案内部材２５，４１に接触することが無く、操作時にその間に指等を挟む惧れを少なくできる。
【００４２】
従って、つまみ棒２７の頭部３８の先端を案内して落とし棒２６の軸心廻りの回転を防止する上下方向の案内溝を案内部材２５，４１に形成する必要がなく、案内部材２５，４１の肉厚を薄くすることが可能である。なお、落とし棒２６の中心からつまみ棒２７の頭部３８の最大径部３８ａまでの距離ｃを、落とし棒２６の中心からつまみ棒２７の操作部３７の案内部材２５に近接する部分までの距離ｄよりも大きくしても良い。
【００４３】
以上、本発明の実施形態を詳述したが、本発明は実施形態に限られるものではなく、本発明の趣旨を逸脱しない範囲で種々の変更をすることが可能である。
【００４４】
例えば、実施形態では、つまみ棒２７の軸部３９と頭部３８とを一体に成型すると共に、操作部３７を軸部３９側に取り付けているが、操作部３７と軸部３９とを一体に成型し、その軸部３９側に頭部３８を適宜取り付けるようにしても良い。
【００４５】
実施形態では、案内部材２５，４１の内面側に、落とし棒２６用の円弧状に凹む摺動溝３５を形成しているが、落とし棒２６を上下方向に摺動自在に支持できれば、案内部材２５，４１の構成は適宜変更可能である。また、戸当たり側落とし棒装置２０では、戸当たり側端枠８の中間の連結材３２と下部の連結材３２とに跨って案内部材２５を設けているが、例えば、案内部材２５を上部側と下部側とに分割して、その夫々を各連結材３２に取り付けても良い。
【００４６】
実施形態では、落とし棒２６の上下動に際して、つまみ棒２７の頭部３８の先端が案内部材２５，４１の内面に当接して移動するようになっているが、例えば、頭部３８の先端を案内するための上下方向の案内溝を、案内部材２５，４１の開口３３ａ，４１ａの反対側の壁部に設けても良い。
【００４７】
実施形態では、落とし棒２６に円筒棒状のパイプ材を使用しているが、例えば中実状のものを使用しても良い。また、その形状も円柱棒状に限られるものではなく、例えば断面が６角形、８角形等の多角形の棒状に構成しても良い。その他、例えば案内部材２５，４１の摺動溝３５及び落とし棒２６に平面部分を形成することにより、落とし棒２６の軸心廻りの回転を規制するようにしても良い。
【００４８】
実施形態では、戸当たり側落とし棒装置２０及び中間落とし棒装置２２の両者を設けているが、何れか一方のみ設けても良いし、３以上の落とし棒装置２０，２２を設けても良い。
【００４９】
なお、実施形態では、本発明の落とし棒装置２０，２２を伸縮門扉に採用した場合を例示しているが、本発明は、その他各種の扉に採用できることは言うまでもない。
【００５０】
【発明の効果】
本発明によれば、扉の案内部材２５，４１内に上下方向に摺動自在に落とし棒２６を設け、該落とし棒２６を径方向に貫通し且つ前記案内部材２５，４１の外側に突出する操作用のつまみ棒２７をその貫通方向に移動自在に設け、該つまみ棒２７の操作部３７と反対側の端部に、少なくとも先端側が略球面状に形成され且つその最大径部３８ａが該つまみ棒２７の軸部３９よりも大径に形成された頭部３８を設け、前記つまみ棒２７の前記頭部３８と前記落とし棒２６の外面との間に、該つまみ棒２７を前記頭部３８側に付勢するコイルバネ２８を套嵌し、前記落とし棒２６を上昇位置に上昇させたときに、前記案内部材２５，４１に形成された前記最大径部３８ａよりも小径の係合孔３０の内側の端部に、前記頭部３８が前記最大径部３８ａよりも先端側で係脱自在に係合するようにしているので、つまみ棒２７等の取り付け作業を簡単にでき、しかも、落とし棒２６を上昇位置から下降させる操作を簡単に行なうことができる。
【図面の簡単な説明】
【図１】（ａ）は本発明の一実施形態を示す伸縮門扉の平面図、（ｂ）はその正面図である。
【図２】本発明の一実施形態を示す伸縮門扉の戸当たり側支柱を外した側面図で、（ａ）は落とし棒が上昇位置、（ｂ）は下降位置にある状態を例示している。
【図３】（ａ）は本発明の一実施形態を示す戸当たり側端枠及び戸当たり側落とし棒装置の断面図、（ｂ）はその要部拡大図である。
【図４】本発明の一実施形態を示す戸当たり側落とし棒装置の断面図で、（ａ）は係合面及び係合孔が係合状態、（ｂ）は非係合状態を例示している。
【図５】本発明の一実施形態を示す縦枠材及び中間落とし棒装置の側面図である。
【図６】本発明の一実施形態を示す縦枠材及び中間落とし棒装置の要部の断面図である。
【図７】本発明の一実施形態を示す縦枠材及び中間落とし棒装置の要部の断面図である。
【符号の説明】
２５  案内部材
２６  落とし棒
２７  つまみ棒
２８  コイルバネ
３０  係合孔
３７  操作部
３８  頭部
３８ａ  最大径部
３９  軸部
４１  案内部材
【図１】
2004176405.tif 000003
【図２】
2004176405.tif 000004
【図３】
2004176405.tif 000005
【図４】
2004176405.tif 000006
【図５】
2004176405.tif 000007
【図６】
2004176405.tif 000008
【図７】
2004176405.tif 000009